(57)【要約】【課題】本発明は、磁極の後部に設けたコイル用壁を用いてステータコイルの整列巻きを行い、電気誤差を少なくすることを目的とする。【解決手段】本発明によるレゾルバステータ構造は、輪状ステータ(1)の両面に設けた各輪状絶縁キャップ(3、4)の一方に設けた一対の渡り線案内用壁(10、10)間にコイル用壁(20)を形成し、磁極(2)に巻付けたステータコイル(6)の後部(6a)をコイル用壁(20)に当てて位置決めし、整列巻きを達成している構成である。【選択図】図１
2005218165.tif 000002
【特許請求の範囲】
【請求項１】
内方に向けて突出する複数の磁極(2)を有する輪状ステータ(1)の両端面(1a、1b)に一体又は別体で構成された輪状絶縁キャップ(3、4)を設け、前記各磁極(2)に対し、前記各輪状絶縁キャップ(3、4)を介してステータコイル(6)を巻付けるようにしたレゾルバステータ構造において、
前記各輪状絶縁キャップ(3、4)の中の一方の輪状絶縁キャップ(3)に形成され前記磁極(2)の後部両側に位置すると共に前記ステータコイルの渡り線(6a、6b)を案内するための渡り線案内用壁(10、10)と、前記輪状絶縁キャップ(3)に形成され前記各渡り線案内用壁(10、10)間に位置するコイル用壁(20)とを備え、前記磁極(2)に巻付けられた前記ステータコイル(6)は前記コイル用壁(20)により位置決めされることを特徴とするレゾルバステータ構造。
【請求項２】
前記コイル用壁(20)は、前記磁極(2)の円周方向に沿う幅(W)の中央位置に設けられていることを特徴とする請求項１記載のレゾルバステータ構造。
【発明の詳細な説明】
【技術分野】
【０００１】
本発明は、レゾルバステータ構造に関し、特に、磁極の後側にコイル用壁を形成し、ステータコイルの位置決めを行って崩れを防止し、特性の安定化を達成するための新規な改良に関する。
【背景技術】
【０００２】
従来、用いられていたこの種のレゾルバステータ構造としては、例えば、特許文献１に開示されている構成を図４から図６として開示することができる。
すなわち、図４から図６において符号１で示されるものは輪状ステータであり、この輪状ステータ１の内面には内方へ向けて突出する複数の磁極２が所定角度間隔で形成されている。
【０００３】
前記輪状ステータ１の両端面１ａ、１ｂには、前記各磁極２に対応した部分を有する一対の第１、第２輪状絶縁キャップ３、４が別体又は一体に形成された状態で設けられ、各磁極２には、各磁極２間のスロット５に位置するようにステータコイル６が巻付けられている。
【０００４】
前記ステータコイル６は、前記各輪状絶縁キャップ３、４が別体又は一体に成形された状態で磁極２を挟持する状態で巻付けられており、各輪状絶縁キャップ３、４によって前記磁極２に対するステータコイル６の絶縁が達成されている。
【０００５】
前記第１、第２輪状絶縁キャップ３、４の中、一方の第１輪状絶縁キャップ３には、前記磁極２の後部すなわち外側における両側位置に一対の渡り線案内用壁１０が形成され、各磁極２に巻付けられるステータコイル６は、この各渡り線案内用壁１０を介して案内され、かつ、引出されるように構成されている。
【０００６】
【特許文献１】米国特許第６０２８３８３号明細書
【発明の開示】
【発明が解決しようとする課題】
【０００７】
本発明によるレゾルバステータ構造は、以上のように構成されているため、次のような課題が存在していた。
すなわち、前述の従来構成において磁極にステータコイルを巻付けた場合、磁極の後側のステータコイルが各渡り線案内用壁から斜めに案内されるため、図５のようにステータコイル斜め部１１が形成され、巻付けられたステータコイル６も、図６で示されるように、ステータコイルの整列が崩れ、コイルの巻乱れ部１２が形成されていた。
そのため、このステータコイル斜め部１１とコイルの巻乱れ部１２によってレゾルバ信号検出時の特性のバラツキ、すなわち、電気誤差のバラツキが増大することになっていた。
【課題を解決するための手段】
【０００８】
本発明によるレゾルバステータ構造は、内方に向けて突出する複数の磁極を有する輪状ステータの両端面に一体又は別体で構成された輪状絶縁キャップを設け、前記各磁極に対し、前記各輪状絶縁キャップを介してステータコイルを巻付けるようにしたレゾルバステータ構造において、前記各輪状絶縁キャップの中の一方の輪状絶縁キャップに形成され前記磁極の後部両側に位置すると共に前記ステータコイルの渡り線を案内するための渡り線案内用壁と、前記輪状絶縁キャップに形成され前記各渡り線案内用壁間に位置するコイル用壁とを備え、前記磁極に巻付けられた前記ステータコイルは前記コイル用壁により位置決めされる構成であり、また、前記コイル用壁は、前記磁極の円周方向に沿う幅の中央位置に設けられている構成である。
【発明の効果】
【０００９】
本発明によるレゾルバステータ構造は、以上のように構成されているため、次のような効果を得ることができる。
すなわち、各渡り線案内用壁間でかつ磁極の後側、すなわち、外側にコイル用壁を設けているため、各渡り線案内用壁を介して案内される渡り線は、コイル用壁を介して引き込まれ、かつ、引き出されるため、従来のようにステータコイル斜め部及びステータコイルの巻乱れ部等の発生はなく、コイル用壁によってステータコイルの整列巻きが完全に行われ、電気誤差のバラツキが少なくなり、検出精度の向上が得られる。
【発明を実施するための最良の形態】
【００１０】
本発明は、磁極の後部にコイル用壁を形成することにより、磁極に巻付けられたステータコイルの位置決めを行って整列させ、巻乱れを防止して電気誤差のバラツキを少なくすることができる。
【実施例】
【００１１】
以下、図面と共に本発明によるレゾルバステータ構造の好適な実施の形態について説明する。
尚、従来例と同一又は同等部分には、同一符号を付して説明する。
図１及び図２において、符号１で示されるものは、輪状ステータであり、この輪状ステータ１の内面には内方へ向けて突出する複数の磁極２が所定角度間隔で形成されている。
【００１２】
前記輪状ステータ１の両端面１ａ、１ｂには、前記各磁極２に対応した部分を有する一対の一体又は別体で成形された第１、第２輪状絶縁キャップ３、４が設けられ、各磁極２には、各磁極２間のスロット５に位置するようにステータコイル６が巻付けられている。すなわち、図示していないが、前記一体の場合には、各輪状絶縁キャップ３、４の一部が互いに連結した状態で成形されている。
【００１３】
前記ステータコイル６は、前記各輪状絶縁キャップ３、４で磁極２を挟持する状態で巻付けられており、各輪状絶縁キャップ３、４によって前記磁極２に対するステータコイル６の絶縁が達成されている。
【００１４】
前記第１、第２輪状絶縁キャップ３、４の中、何れか一方の第１輪状絶縁キャップ３（第２輪状絶縁キャップ４でも可）には、前記磁極２の後部すなわち外側における両側位置に一対の渡り線案内用壁１０が形成され、各磁極２に巻付けられるステータコイル６は、この各渡り線案内用壁１０を介して案内され、かつ、引出されるように構成されている。
【００１５】
前記第１輪状絶縁キャップ３の前記各渡り線案内用壁１０、１０間には、前記渡り線案内用壁１０と同一形状（但し、若干異なる形状も可）のコイル用壁２０が軸方向に沿って植設されている。
前記コイル用壁２０は、前記磁極２の後部すなわち外側に位置しており、図３で示されるように、各スロット５に配設されるべく各磁極２に巻付けられたステータコイル６の後側６ａを位置決めし、ステータコイル６全体が整列巻きされるように構成されている。
【００１６】
前記磁極２に巻付けられるステータコイル６は、図２に示されるように、一方の渡り線案内用壁１０の外側からコイル用壁２０の外側を経て磁極２に巻付けられ、この磁極２に巻付けられたステータコイル６は、前記コイル用壁２０の外側から他方の渡り線案内用壁１０を経て次の磁極２へ巻付けられる。
【００１７】
従って、各磁極２に巻付けられたステータコイル６の渡り線６ａ、６ｂは、従来のように斜め状となることはなく、磁極２に巻付けられたステータコイル６の巻付け方向と平行に配設されている。
また、前記コイル用壁２０は、前記磁極２の周方向に沿う幅Ｗの中央位置に配設されている。尚、前述の各渡り線案内用壁１０及びコイル用壁２０は、成形の都合で両方の輪状絶縁キャップ３、４に形成し、一方だけ用いるようにすることもできる。
【産業上の利用可能性】
【００１８】
本発明は、レゾルバに限ることなく、例えば、シンクロ、モータ等にも適用可である。
【図面の簡単な説明】
【００１９】
【図１】本発明によるレゾルバステータ構造を示す斜視図である。
【図２】図１の要部の平面図である。
【図３】図１の要部を示す断面図である。
【図４】従来構成を示す斜視図である。
【図５】図１の要部の平面図である。
【図６】図１の要部を示す断面図である。
【符号の説明】
【００２０】
１    輪状ステータ
２    磁極
３    第１輪状絶縁キャップ
４    第２輪状絶縁キャップ
５    スロット
６    ステータコイル
１０    渡り線案内用壁
２０    コイル用壁
【図１】
2005218165.tif 000003
【図２】
2005218165.tif 000004
【図３】
2005218165.tif 000005
【図４】
2005218165.tif 000006
【図５】
2005218165.tif 000007
【図６】
2005218165.tif 000008